(57)【特許請求の範囲】
【請求項１】
屋根の隅棟部または谷部を構成するカット瓦において、１枚の平形スレート瓦からカットされ廃材となる瓦を除いた１枚もしくは２枚の平形スレートカット瓦を、１枚のカット瓦は１枚のみを、２枚の平形スレートカット瓦の場合は平面上に下端縁の一端を接触させ下端縁が一直線になるように、かつ並べた２枚の平形スレートカット瓦の重心位置ができるだけ中央部になるように並べ、前記１枚もしくは２枚の平形スレートカット瓦の下端縁の両端を揃えると共に下端縁側が垂直面を構成するように積重ねて輸送するようにした平形スレートカット瓦の輸送時の積重ね方法。
【請求項２】
軒部に近い側の平形スレートカット瓦を下部に、棟部に近い平形スレートカット瓦が前記平形スレートカット瓦の上部に来るように、順番に積重ねた請求項１に記載の平形スレートカット瓦の輸送時の積重ね方法。
【発明の詳細な説明】
【技術分野】
【０００１】
この発明は、平形スレートカット瓦の輸送時の積重ね方法および積重ね順番に関するものである。          
【背景技術】
【０００２】
従来、平形スレート瓦は工場等から原形（注１参照）のまま敷設現場に輸送され、屋根の隅棟部や谷部に使用する平形スレートカット瓦（以降カット瓦と記す）は、敷施現場の地上や屋根上で平形スレート瓦の原形を必要寸法に合わせてカットされていた。しかしながら、この方法では、カットして廃材となる部分も輸送することになり、また、屋根上でカットする場合は重量物である平形スレート瓦を屋根上に運び上げ、カット後は再び重たいカットして不要となった平形スレート瓦の廃材を屋根から降ろさなければならなかった。更に、屋根葺き完了後は廃材として持ち帰らなければならない等不合理な作業があった。
本発明は、このような状況に鑑み、工場等で事前に敷設現場の屋根寸法に合わせて、屋根の隅棟部や谷部等の必要寸法に合わせて平形スレート瓦を必要形状に必要数カットし、工場等から敷設現場に荷崩れを発生させず、割れやカケが無く輸送する平形スレートカット瓦の輸送時の積重ね方法および積重ね順番を提供するものである。
（注１）ここで言う原形とは、工場で所定の寸法に加工され、その状態で屋根の平部に使用される形状を言う。
【先行技術文献】
【特許文献】
【０００３】
【特許文献１】特公報昭６３−６１２５０
【特許文献２】特公報３７１５３４１
【特許文献３】特開平６−１５８７８６
【特許文献４】特開２００２−２２７３４４
【０００４】
【非特許文献１】ＪＩＳ  Ａ  ５４２３
【発明の概要】
【発明が解決しようとする課題】
【０００５】
原形の平形スレート瓦を積重ねた場合、形状・寸法が同一であり、ほぼ平板状である為、積重ねた下から上まで平形スレート瓦が重なり合っている。しかしながら、カット瓦の場合は敷設現場の屋根の各段に適用するカット瓦毎に夫々形状が異なるため、工場から敷設現場に荷崩れを発生させず、割れやカケが無くカット瓦を輸送するには、出荷時にカット瓦をどの様な積重ね構造にするか、また、どのような積重ね順番にするのが作業性が良いのかが大きな課題である。
【課題を解決するための手段】
【０００６】
本発明では前記のような課題を解決するために、一つの平部屋根面を構成する右下り隅棟と左下り隅棟のカット瓦は、組み合わせが許す限り１枚の平形スレート瓦原形から２枚のカット瓦を切り出して前記の左右下り隅棟カット瓦に充当し、カット瓦の大きさ上やむをえない場合は１枚の平形スレート瓦から１枚のカット瓦を切り出している。不要部分は廃材として切り出し工場で廃却処分する。
１枚の平形スレート瓦からカットされ廃材となる瓦を除いた１枚もしくは２枚の平形スレートカット瓦を、１枚の大きなカット瓦は１枚のみを、２枚の平形スレートカット瓦の場合は平面上に下端縁の一端を接触させ下端縁が一直線になるように、かつ並べた２枚の平
形スレートカット瓦の重心位置ができるだけ中央部になるように並べ、前記１枚もしくは２枚の平形スレートカット瓦の下端縁の両端を揃えると共に下端縁側を揃えて垂直面ができるように積重ねて輸送するようにした。
【０００７】
また、カット瓦の積重ねは、軒部に近い側の平形スレートカット瓦を下部に、頂部棟に近いカット瓦が上部に来るように、かつ隣接する段のカット瓦を順番に積重ねるようにした。この順番の整列は、１枚の平形スレート瓦から右下り隅棟と左下り隅棟の２枚のカット瓦を切り出している場合も有るので、右下り隅棟あるいは左下り隅棟のカット瓦のいずれかに限定せざるを得ないが、できる限り隣接する段のカット瓦を隣接して積重ねるようにしている。
また、屋根を葺いた時、一つの平部屋根面を構成する右下り隅棟と左下り隅棟のカット瓦を一つの集合体として積重ねて輸送するようにしている。
【発明の効果】
【０００８】
本発明は、工場等で事前に敷設現場の屋根寸法に合わせて、屋根の隅棟部や谷部等の必要寸法に合わせて平形スレート瓦を必要数カットし、敷設現場に荷崩れ、割れやカケが無く輸送するようにしているので、敷設現場で平形スレート瓦をカットしていた従来方法に比べ、現場でのカット手間と費用とを要さずに効率良く敷設でき、瓦相互の葺合わせ精度が向上し、雨仕舞いが確実になり、しかも平形スレート瓦の輸送コストが低減でき、廃材の持ち帰りも不要になる。また、工場等で加工することができ、更には作業現場での作業手順を考慮して軒部に近い側のカット瓦を下部に、棟部に近いカット瓦が上部に来るように順番に積み重ね、１つの平部屋根面を構成する右下り隅棟と左下り隅棟のカット瓦を一つの集合体として輸送するようにしたので、現場での作業が容易になり工期が短縮され、コストが安価になる。
【図面の簡単な説明】
【０００９】
【図１】平形スレートカット瓦の輸送時の積重ね構造
【図２】寄棟屋根の平面図
【図３】正面平部屋根の平形スレート瓦葺き図
【図４】平形スレート瓦
【図５】平形スレート瓦のカット例
【図６】輸送時の平形スレートカット瓦の配置例
【発明を実施するための形態】
【００１０】
次に、本発明を実施するための形態について図面を参照しながら説明する。ただし、以下に示す実施例は、本発明の技術思想を具体化するためのカット瓦の輸送時の積重ね方法と積重ね順番を例示するものであって、以下のものに特定しない。
【実施例】
【００１１】
図２は一般的な寄棟の平面図を示し、正面平部屋根５１、左側面平部屋根５２、裏面平部屋根５３、右側面平部屋根５４が夫々４つの隅棟部で突き合わさっている。正面平部屋根５１は、裏面平部屋根５３とは頂部棟５８で、左側面平部屋根５２とは左下り隅棟５６で、右側面平部屋根５４とは右下り隅棟５５で突き合わさっている。
図３は正面平部屋根５１の平形スレート瓦６０や右下り隅棟５５部分のカット瓦葺き図の１例を示す。３ａは平形スレート瓦６０の積重ね図を、３ｂは正面平部屋根５１の段数を、３ｃは平形スレート瓦６０とカット瓦の配列を示している。３ｃの灰色に塗りつぶされている箇所はカット瓦を示している。
【００１２】
図４は平形スレート瓦６０であり、６１は下端縁、６２は左側面縁であり、平坦部の働き部６３は平形スレート瓦６０で屋根を葺いたときに外部に露出する部分、重なり部６４は
平形スレート瓦６０で屋根を葺いたときに上の段の平形スレート瓦６０と重なる部分である。
住宅屋根用化粧スレートがＪＩＳ  Ａ  ５４２３に規定されており、平形スレート瓦６０の寸法の一例を示すと、幅９１０、長さ４１４、厚さ６（単位ｍｍ）、働き部６３は幅９１０、長さ１８２（単位ｍｍ）である。
【００１３】
図５は寄棟屋根の葺き瓦の段数が２０段の場合の右下り隅棟５５と左下り隅棟５６のカット瓦を１枚の平形スレート瓦６０から切り出す場合のカットの一例を示す。例えば、最上部左端の図は、右下り隅棟５５の１段目のカット瓦と左下り隅棟５６の６段目のカット瓦を１枚の平形スレート瓦６０から切り出すカット図である。灰色に塗りつぶした部分は、廃材となる部分を示す。以下、他の図も同様な意味合いを持たせて記号を付し、また、塗りつぶしをしてある。
【００１４】
図１は本発明の輸送時のカット瓦の積重ね方法の１実施例を示すものである。平形スレート瓦６０から切り出されるカット瓦は、図５に示すように１枚もしくは２枚の有用カット瓦に分割される。灰色に塗りつぶした廃材となる部分を含めれば、ほぼ元の原形となるが、この状態で多数段に積重ねて輸送すると、複数枚に分割されているため原形状態に配列するのに手間が掛かる。また、廃材を敷設現場に運び、再度持ち帰ることは輸送面で大きな費用がかかる。一方、廃材を除いた有用カット瓦のみを図５に示すカット図の通り並べて積み上げても、端部の小片のカット瓦の下に常にその瓦を支えるカット瓦があるとは限らない。例えば、カット瓦２Ｒの上にカット瓦１Ｒと６Ｌを積み重ねる場合、カット瓦１Ｒはカット瓦２Ｒに安定して支えられるが、カット瓦６Ｌはカット瓦２Ｒの右端部が切り取られているので不安定となり、輸送中に荷崩れを発生したり、割れやカケが発生し易くなる。
【００１５】
そこで、本発明では、１枚の平形スレート瓦からカットされ廃材となる瓦を除いた１枚もしくは２枚の平形スレートカット瓦を、１枚の大きなカット瓦は１枚のみを、２枚の平形スレートカット瓦の場合は平面上に下端縁の一端を接触させ下端縁が一直線になるように、かつ並べた２枚の平形スレートカット瓦の重心位置ができるだけ中央部になるように並べ、前記１枚もしくは２枚の平形スレートカット瓦の下端縁の両端を揃えると共に下端縁側が垂直面を構成するように積重ねて輸送するようにしている。
前記積層格段のカット瓦の下端縁の幅は、大きな１枚のカット瓦も２枚並べたカット瓦の下端縁の幅もほぼ同一寸法であり、平形スレート瓦６０を同一段数積み上げた物とほとんど同一の幅、同一の長さ寸法となり、平形スレート瓦もカット瓦も同一寸法品を荷作り、輸送することになり管理が容易になる。
【００１６】
図６にカット瓦の輸送時の配置例を示す。図５の最上部の図の２枚にカットされたうちのカット瓦６Ｌを左にカット瓦１Ｒを右側に配置し、下端縁部を一直線になるように平面配置する。このように配置することにより、重心位置は一直線になった下端縁のほぼ中央部になる。その下には１枚物のカット瓦２Ｒと５Ｌがあり、その下には２枚にカットされたカット瓦となるが、前記と同様にカット瓦４Ｌを左にカット瓦３Ｒを右に配置する。さらにその下の瓦は、カット瓦３Ｌを左にカット瓦４Ｒを右に配置し、夫々下端縁部を一直線になるように接触させて平面配置し、上の段、下の段に積層された夫々のカット瓦の下端縁側を垂直面になるよう揃える。このように配置、積層することにより、積み上げられたカット瓦の重心位置は一直線になった下端縁のほぼ中央部になり、隣接するカット瓦相互の接触面積が大きく安定化するので、敷設現場への瓦の運搬中や倉庫への保管中にカット瓦相互のガタツキは防止されるとともに紐、テープ等を用いて結束しても荷崩れは生ぜず、衝撃等によってカット瓦が割れたり、欠けるのを防止できる。
【００１７】
次の発明として、平形スレート瓦６０をカットしてカット瓦を製作したあと、輸送時の積
重ね順番について説明する。
カット瓦は軒部に近い側のカット瓦が下部に、頂部棟に近いカット瓦が上部に来るように順番に積重ねて輸送する。寄棟屋根の葺き瓦の段数が２０段の場合を例に取れば、図５に示すカット瓦が製作されるので、灰色に塗りつぶした部分を除き、１Ｒと６Ｌが一番上に、その下には２Ｒが、その下には５Ｌと言うように、図示した上から下へ、左の列から右の列へと順番に積重ね、最下段には６Ｒと２０Ｌが来るように積重ねる。
屋根瓦は軒先部分から頂部棟に向かって順番に葺いていくので、前記のように運搬用の荷造りをしておけば、敷設現場でカット瓦を屋根上に運び上げるためにカット瓦を積み替えるとき、運ばれて来た積み荷の最上段を最下部にして順番に必要段数を取り出してその上に積重ね、屋根に上げ易い段数のブロックに分け、軒側に最も近いカット瓦が最上段に積まれたブロックを最初に屋根に運びあげれば、屋根上で運び上げられたブロックの上から順番に取り出して、手際よく効率よくカット瓦の葺き作業ができる。
【００１８】
敷設現場へ積重ねたカット瓦を運搬する場合や倉庫内等に保管する場合には、必要に応じて複数枚のカット瓦に紐、テープ等を用いて束ねれば、運搬および保管がより安全に実施できる。
【符号の説明】
【００１９】
１Ｒ（１Ｌ） 右下り棟1段目のカット瓦（左下り棟１段目のカット瓦）  
２Ｒ（２Ｌ） 右下り棟２段目のカット瓦（左下り棟２段目のカット瓦）  
３Ｒ（３Ｌ） 右下り棟３段目のカット瓦（左下り棟３段目のカット瓦）
４Ｒ（４Ｌ） 右下り棟４段目のカット瓦（左下り棟４段目のカット瓦）
５Ｒ（５Ｌ） 右下り棟５段目のカット瓦（左下り棟５段目のカット瓦）
６Ｒ（６Ｌ） 右下り棟６段目のカット瓦（左下り棟６段目のカット瓦）
７Ｒ（７Ｌ） 右下り棟７段目のカット瓦（左下り棟７段目のカット瓦）
８Ｒ（８Ｌ） 右下り棟８段目のカット瓦（左下り棟８段目のカット瓦）
９Ｒ（９Ｌ） 右下り棟９段目のカット瓦（左下り棟９段目のカット瓦）
９ＲＳ（９ＬＳ）     右下り棟９段目のカット瓦（左下り棟９段目のカット瓦）
９Ｒ（９Ｌ）の隅棟側に配置される小片
１０Ｒ（１０Ｌ）     右下り棟１０段目のカット瓦（左下り棟１０段目のカット瓦）
１１Ｒ（１１Ｌ）     右下り棟１１段目のカット瓦（左下り棟１１段目のカット瓦）
１２Ｒ（１２Ｌ）     右下り棟１２段目のカット瓦（左下り棟１２段目のカット瓦）
１２ＲＳ（１２ＬＳ） 右下り棟１２段目のカット瓦（左下り棟１２段目のカット瓦）
１２Ｒ（１２Ｌ）の隅棟側に配置される小片
１３Ｒ（１３Ｌ）     右下り棟１３段目のカット瓦（左下り棟１３段目のカット瓦）
１４Ｒ（１４Ｌ）     右下り棟１４段目のカット瓦（左下り棟１４段目のカット瓦）
１５Ｒ（１５Ｌ）     右下り棟１５段目のカット瓦（左下り棟１５段目のカット瓦）
１５ＲＳ（１５ＬＳ） 右下り棟１５段目のカット瓦（左下り棟１５段目のカット瓦）
１５Ｒ（１５Ｌ）の隅棟側に配置される小片
１６Ｒ（１６Ｌ）     右下り棟１６段目のカット瓦（左下り棟１６段目のカット瓦）
１７Ｒ（１７Ｌ）     右下り棟１７段目のカット瓦（左下り棟１７段目のカット瓦）
１８Ｒ（１８Ｌ）     右下り棟１８段目のカット瓦（左下り棟１８段目のカット瓦）
１９Ｒ（１９Ｌ）     右下り棟１９段目のカット瓦（左下り棟１９段目のカット瓦）
２０Ｒ（２０Ｌ）     右下り棟２０段目のカット瓦（左下り棟２０段目のカット瓦）
５０  寄棟屋根
５１  正面平部屋根
５２  左側面平部屋根
５３  裏面平部屋根
５４  右側面平部屋根
５５  正面平部屋根の右下り隅棟
５６  正面平部屋根の左下り隅棟
５７  軒部
６０  平形スレート瓦原形
６１  下端縁
６２  左側面縁
６３  働き部
６４  重なり部
【図１】
0005686319.tif 000002
【図２】
0005686319.tif 000003
【図３】
0005686319.tif 000004
【図４】
0005686319.tif 000005
【図５】
0005686319.tif 000006
【図６】
0005686319.tif 000007